(57)【要約】【課題】本開示は、省人・省資源・省スペース・低コスト及び良好な衛生性を兼ね備えた嵌合具付き筒状外袋、外装用の筒状外袋、製品入り外袋、製品入り外袋の巻き取り品、それらの製造方法及び袋体の供給方法を提供することを目的とする。【解決手段】本開示に係る製品入り外袋１００は、製品である袋体の一部が重なるように連続又は間欠で一列に積み重ねられた複数個の袋体３を、外包装用の筒状外袋１で包み込んで、袋体３の積み重ねの状態を保持したままで一体化している。筒状外袋１は、自己粘着性を有する樹脂フィルムを基材５として筒の長さ方向Ｘに沿って連続して延びた筒形状をなしており、筒の長さ方向Ｘに沿って基材同士が重なり合って自己粘着した重なり部７１を少なくとも一つ有している。【選択図】図１２
2018193135.tif 000002
【特許請求の範囲】
【請求項１】
製品である袋体の一部が重なるように連続又は間欠で一列に積み重ねられた複数個の袋体３を、外包装用の筒状外袋１で包み込んで、前記袋体の積み重ねの状態を保持したままで一体化した製品入り外袋１００であって、
前記筒状外袋は、自己粘着性を有する樹脂フィルムを基材として筒の長さ方向Ｘに沿って連続して延びた筒形状をなしており、前記筒の長さ方向に沿って前記基材同士が重なり合って自己粘着した重なり部７１を少なくとも一つ有していることを特徴とする製品入り外袋。
【請求項２】
前記製品入り外袋は、フラットのシート状外包装用の樹脂フィルムとした前記基材に製品である袋体の一部が重なるように連続又は間欠で一列に積み重ねられた複数個の袋体を載せ、前記複数個の袋体を前記基材で包み込んで筒状外袋とし、前記袋体の積み重ねの状態を保持したままで一体化したことを特徴とする請求項１に記載の製品入り外袋。
【請求項３】
前記樹脂フィルムは、前記製品である袋体に対して剥離可能な粘着性をさらに有することを特徴とする請求項１又は２に記載の製品入り外袋。
【請求項４】
前記製品入り外袋は、前記筒の長さ方向Ｘに沿った所定の間隔毎に仕切りを有し、かつ、前記仕切りによって、前記複数個の袋体は所定枚数毎に区切られていることを特徴とする請求項１〜３のいずれか一つに記載の製品入り外袋。
【請求項５】
請求項１〜４のいずれか一つに記載の製品入り外袋が、横断面が扁平状態でロール巻き、カセ巻き又はつづら折りされていることを特徴とする製品入り外袋の巻き取り品又はつづら折り品。
【請求項６】
製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋の製造方法であって、
基材として等幅の帯状の自己粘着性を有する樹脂フィルムを準備する工程Ａと、
前記基材を広げた状態とする工程Ｂと、
前記基材の上に、該基材の長手方向に沿って、前記袋体の一部が重なるように連続又は間欠で一列に該袋体を複数積み重ねていく工程Ｃと、
前記複数個の袋体を載せた前記基材を該基材の長手方向に移動させながら、前記基材で前記複数個の袋体を包み込むとともに、前記基材同士が重なり合って自己粘着した重なり部を形成することで、前記基材を筒状に成形して前記製品入り外袋を得る工程Ｄと、を有することを特徴とする製品入り外袋の製造方法。
【請求項７】
請求項６に記載の製品入り外袋を引き出しながら重なり部又は外袋のうち重なり部以外の箇所を開口する工程Ｆと、
開口された外袋の中の前記袋体を順々に充填機に供給する工程Ｇと、を有することを特徴とする袋体の供給方法。
【発明の詳細な説明】
【技術分野】
【０００１】
本開示は、製品入り外袋に関し、特に、複数の製品について製品同士の相対的位置関係を固定したまま包み込んで、ひとまとまりとする筒状外袋によって製品が包まれた製品入り外袋、さらにその製品入り外袋を横断面が扁平状態でロール巻き、カセ巻き又はつづら折りした製品入り外袋の巻き取り品又はつづら折り品に関する。さらに本開示はそれらの製造方法及び製品入り外袋から製品である袋体を取り出す袋体の供給方法に関する。
【背景技術】
【０００２】
一般に、販売の目的とされる商品を直接包装する形態を一次包装という。一次包装の形態とされた商品を決められた数量に従い、さらに箱又は袋に包装する形態を二次包装という。商品は一次包装又は二次包装の形態にて消費者に渡される。さらに、二次包装の形態の商品を決められた数量に従い、バルクハンドリング、倉庫保管及び輸送等の目的のために梱包箱等に入れる形態を三次包装という。また、一次包装の形態にされた商品を、二次包装の形態とせずに、三次包装の形態とすることもある。
【０００３】
例えば、円筒状の小巻ロール（「商品」に相当する。）の円筒側面を包装用フィルムに巻き付けたのち、包装フィルムの側面を熱融着し、さらに円筒の上面側と下面側に位置する包装用フィルムをそれぞれ閉じて熱融着して、小巻ロールを一次包装する技術がある（例えば、特許文献１の図２５〜図２９を参照。）。
【０００４】
なお、製袋メーカーにとっては、販売の目的とされる商品が包装資材となる袋体であるため（例えば、特許文献２を参照。）、本明細書では、包装資材としての袋体が販売の目的とされる商品である場合、包装資材ではない商品（通常の商品のことであり、以降、非包装資材商品ともいう。）との区別のために、当該袋体を「製品」と称することがある。また、袋体を包む包装を外袋と称することがある。
【０００５】
非包装資材商品が入った嵌合具付き袋が小売店に陳列されるまでは、まず、（１）製袋工程：製袋メーカーが袋体を製造してさらに外袋に収容し、（２）運送工程１：袋体を非包装資材商品のメーカーに納入し、（３）給袋工程：外袋から袋体を取り出し、（４）充填工程：非包装資材商品を袋体に充填し、（５）運送工程２：袋体に充填された非包装資材商品を小売店に搬送して一般消費者へと渡る、というルートが通常である。
【０００６】
従来の製袋工程は次のような手順で行われていた。すなわち、製袋機によって製袋された製品である嵌合具付き袋は、トレーなどの容器にいったんストックされ、人の手によって一定枚数を束にする結束作業が行われていた。その一定枚数ずつ束にされた、製品である嵌合具付き袋は、輪ゴム等の結束手段で固定され、続いて嵌合具付きの外袋に入れられたのち、外袋の嵌合具が閉じられる。さらに複数個の嵌合具付き外袋は箱に詰められる。その箱は、埃や汚れの付着防止又は浸水防止のために防水フィルムによって覆われた後、出荷される。これらの工程はすべて人の手が必要であった。
【０００７】
また、従来の給袋工程は次のような手順で行われていた。すなわち、非包装資材商品のメーカーが非包装資材商品を嵌合具付き袋に充填するために、防水フィルムを剥がして箱から外袋を取り出し、その外袋の嵌合具を外し、束ねられた嵌合具付き袋を取り出し、束ねてある輪ゴム等の結束手段を外して、嵌合具付き袋を個々の状態に戻す。これらの工程もすべて人の手が必要であった。
【０００８】
さらに従来の充填工程は次のような手順で行われていた。すなわち、個々の嵌合具付き袋を、充填機の袋体供給部に供給する。この工程も人の手が必要であった。充填機の袋体供給部から一つ一つ取り出された嵌合具付き袋は、開口され、非包装資材商品が充填される。この工程は、充填機によってなされる。
【先行技術文献】
【特許文献】
【０００９】
【特許文献１】特開２００３‐２６７６０２号公報
【特許文献２】特開２０１８‐８７２８号公報
【発明の概要】
【発明が解決しようとする課題】
【００１０】
しかし、製袋工程では、袋詰めのときの作業スピードや精度がそれを行う個々の人の能力に依存していたため、個々の人の処理能力に合わせて包装袋の製造ラインのスピードを調整し、また休憩が必要である。その結果として、生産性が低下し、また生産性が不安定となりやすく、生産効率が悪かった。また、トレーにストックされた袋体は、ストック場所や積み重ねの不安定さによってストック枚数に限りがあり、広いスペースを必要としていた。そして、結束された袋体を外袋に入れるときの輪ゴム留めや外袋に入れるときの嵌合具の開口、閉口、箱詰め、防水フィルム施工に至る作業には時間がかかり、また手間であった。
【００１１】
また、給袋工程では、防水フィルム付きの箱詰めされた外袋を取り出し、嵌合具を外し、輪ゴム等を取り除いて嵌合具付き袋を個々の状態に戻していたが、すべて人の手が必要であった。特に輪ゴム等により嵌合具付き袋が湾曲して癖がついてしまい、平状に戻す作業を余儀なくされていたが、これらの作業もすべて人の手によって行われていた。さらに、輪ゴム等と接触していた嵌合具付き袋にはシワが発生していたり、ときには穴が開いてしまうことがあった。このように作業ミスや製品ロスが頻繁に発生しやすかった。さらに、充填機に嵌合具付き袋をセットし終えるたびに、次なる外袋について嵌合具開口工程に戻って同様に人の手で繰り返して作業を行う必要があり、時間と手間がかかっていた。よって、人件費が嵩み、コスト高になっていたほか、作業ミスなども不可避であった。加えて人手不足によって人材確保が難しく、一層費用が嵩んでいた。
【００１２】
さらに、外袋については、それ自体を製袋する必要があり、袋製品と同じ手間とコストがかかっていた。また、様々な種類の外袋を防水フィルムと共に保管しなければならず、倉庫による管理を強いられるため、非常にコスト高であると共に手間もかかっていた。
【００１３】
また、防水フィルム、出荷箱、外袋は充填工程を経た後に廃棄されるため、大量の資源が無駄に消費されていた。
【００１４】
また、結束、外袋詰め、箱詰め、箱開け及び外袋明けを人の手で行っていたため、人に起因する汚れが付着するおそれもあった。
【００１５】
そこで本開示は、（１）人的作業の省力化を図ることで、包装袋の製造ラインの高速化を実現し、また、その生産速度の安定化を図り、人的作業のミスによる製造ロスの低減と袋体の品質低下を抑制すること、及び、（２）外袋の製袋及び保管によるコスト上昇を防ぐと共にその管理の手間を省くこと、を実現する、省人・省資源・省スペース・低コスト及び良好な衛生性を兼ね備えた製品入り外袋、製品入り外袋の巻き取り品、それらの製造方法及び袋体の供給方法を提供することを目的とする。
【課題を解決するための手段】
【００１６】
本発明者は、鋭意検討したところ、外包装用の外袋を、自己粘着性を有する樹脂フィルムを用いた筒状外袋の形態とし、また、製品である袋体の一部が重なるように連続して一列に積み重ねられた複数個の袋体を、外装用の筒状外袋で包み込み、袋体の積み重ね状態を保持したままで一体化させることで、上記課題が解決できることを見出し、本発明を完成させた。
【００１７】
本発明に係る製品入り外袋は、製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋であって、前記筒状外袋は、自己粘着性を有する樹脂フィルムを基材として筒の長さ方向Ｘに沿って連続して延びた筒形状をなしており、前記筒の長さ方向に沿って前記基材同士が重なり合って自己粘着した重なり部を少なくとも一つ有していることを特徴とする。
【００１８】
本発明に係る製品入り外袋では、前記製品入り外袋は、フラットのシート状外包装用の樹脂フィルムとした前記基材に製品である袋体の一部が重なるように連続又は間欠で一列に積み重ねられた複数個の袋体を載せ、前記複数個の袋体を前記基材で包み込んで筒状外袋とし、前記袋体の積み重ねの状態を保持したままで一体化したことが好ましい。
【００１９】
本発明に係る製品入り外袋では、前記樹脂フィルムは、前記製品である袋体に対して剥離可能な粘着性をさらに有することが好ましい。筒状外袋内で複数個の袋体の配列が崩れることを抑制することができるので、袋体の積み重ねの状態を保持したままでより一体化できる。
【００２０】
本発明に係る製品入り外袋では、前記製品入り外袋は、前記基材の内壁面にエンボス加工領域部を有することが好ましい。筒状外袋内で複数個の袋体の配列が崩れることを抑制することができるので、袋体の積み重ねの状態を保持したままでより一体化できる。
【００２１】
本発明に係る製品入り外袋では、前記製品入り外袋は、前記筒の長さ方向Ｘに沿った所定の間隔毎に仕切りを有し、かつ、前記仕切りによって、前記複数個の袋体は所定枚数毎に区切られていることが好ましい。複数個の袋体について、所定枚数、例えば１００枚単位で管理したい場合がある。このような場合に、仕切りとその隣の仕切りとの間に所定枚数の袋体を配置することが容易となる。
【００２２】
本発明に係る製品入り外袋の巻き取り品又はつづら折り品は、本発明に係る製品入り外袋が、横断面が扁平状態でロール巻き、カセ巻き又はつづら折りされていることを特徴とする。
【００２３】
本発明に係る製品入り外袋の製造方法は、製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋の製造方法であって、基材として等幅の帯状の自己粘着性を有する樹脂フィルムを準備する工程Ａと、前記基材を広げた状態とする工程Ｂと、前記基材の上に、該基材の長手方向に沿って、前記袋体の一部が重なるように連続又は間欠で一列に該袋体を複数積み重ねていく工程Ｃと、前記複数個の袋体を載せた前記基材を該基材の長手方向に移動させながら、前記基材で前記複数個の袋体を包み込むとともに、前記基材同士が重なり合って自己粘着した重なり部を形成することで、前記基材を筒状に成形して前記製品入り外袋を得る工程Ｄと、を有することを特徴とする。
【００２４】
本発明に係る製品入り外袋の製造方法では、前記工程Ａにおいて、前記基材を１つ準備し、前記工程Ｂにおいて、前記基材を水平に広げ、前記工程Ｃにおいて、前記基材をフラットのシート状として前記袋体を載せ、前記工程Ｄにおいて、前記基材の幅方向の両端の縁を前記袋体の積み重ね面の上に配置して、前記重なり部を形成することが好ましい。袋体を外袋で合掌貼りの形態で容易に包むことができる。このため、簡易な構造の装置で製造しやすい。
【００２５】
また、本発明に係る製品入り外袋の製造方法では、前記工程Ａにおいて、前記基材を１つ準備し、前記工程Ｂにおいて、前記基材を、前記基材の長手方向の横断面がＵ字形状又はＶ字状となるように広げ、前記工程Ｃにおいて、前記袋体の左右いずれか一方の側端側を下方に向けた状態で、前記袋体を前記Ｕ字形状又はＶ字状の基材の内側に入れることが好ましい。本形態においても重力を利用して袋体をきれいに整列させることが出来るため、製品入り外袋内で、袋体がより整然と整列している。
【００２６】
また、本発明に係る製品入り外袋の製造方法では、前記工程Ａにおいて、前記基材を２つ準備し、前記工程Ｂにおいて、前記基材の一方を水平に広げ、前記基材の他方を、前記基材の一方の上方で水平に広げ、前記工程Ｃにおいて、前記基材の一方をフラットのシート状とすると共に、前記基材の一方の幅方向の両端が前記袋体の左の側端側及び右の側端側にそれぞれ位置するように、該袋体を前記基材の一方の上に載せ、前記工程Ｄにおいて、前記基材の他方を前記袋体に被せて、前記基材の一方と前記基材の他方とを重ね合わせて前記重なり部を形成することが好ましい。２つの基材を上下に配置し、その間に袋体を配置して閉じるという簡易な動作で、外袋の中に袋体を入れることが出来る。
【００２７】
本発明に係る製品入り外袋の製造方法では、前記工程Ｃにおいて、前記袋体が所定枚数積み重ねられる毎に該袋体を配置しない非配置部を所定の間隔毎に設け、かつ、前記工程Ｄの後に、前記製品入り外袋に対して、前記非配置部に相当する箇所に仕切りを設ける仕切り形成工程と、を有することが好ましい。複数個の袋体について、所定枚数、例えば１００枚単位で管理したい場合がある。このような場合に、仕切りとその隣の仕切りとの間に所定枚数の袋体を配置することが容易となる。
【００２８】
本発明に係る製品入り外袋の製造方法では、前記仕切りは、向かい合う前記基材同士を自己粘着することによって、又は、向かい合う前記基材同士を剥離可能なシール、接着又は熱溶着することによって形成することが好ましい。仕切りを自己粘着によって形成することで、仕切りを容易に形成することができる。仕切りを剥離可能なシール、接着又は熱溶着によって形成することで、より確実に製品である袋体を仕切ることができる。また、仕切りの形成も容易である。
【００２９】
本発明に係る製品入り外袋の巻き取り品又はつづら折り品の製造方法は、本発明に係る製品入り外袋を横断面が扁平状態でロール巻き、カセ巻き又はつづら折りする工程Ｅを有することを特徴とする。
【００３０】
本発明に係る袋体の供給方法は、本発明に係る製品入り外袋又は本発明に係る製品入り外袋の巻き取り品又はつづら折り品の外袋を引き出しながら重なり部又は外袋のうち重なり部以外の箇所を開口する工程Ｆと、開口された外袋の中の前記袋体を順々に充填機に供給する工程Ｇと、を有することを特徴とする。
【発明の効果】
【００３１】
本開示によれば、（１）人的作業の省力化を図ることで、包装袋の製造ラインの高速化を実現し、また、その生産速度の安定化を図り、人的作業のミスによる製造ロスの低減と袋体の品質低下を抑制すること、及び、（２）外袋の製袋及び保管によるコスト上昇を防ぐと共にその管理の手間を省くこと、を実現する、省人・省資源・省スペース・低コスト及び良好な衛生性を兼ね備えた製品入り外袋、製品入り外袋の巻き取り品、それらの製造方法及び袋体の供給方法を提供することが出来る。
【００３２】
さらに、製袋機と充填機とをインラインで一体化すると生産効率が高まるところ、充填を行う者が製袋機のメンテナンスも行う必要が生じる。しかし、本発明によれば、設備のインライン化をしなくても、製品入り外袋が、実質的に製袋機を再現することが出来るため、袋体を充填機に高速で供給することが可能となる。よって、充填する者からすれば、製袋機のメンテナンスが不要であり、かつ、実質的にインライン化を再現することが出来る。さらに、製袋を行う者からすれば、袋体の結束作業が不要となり、また、それに伴う検品工程も不要とすることが出来る。
【００３３】
さらに製品入り外袋の巻き取り品では、巻取りによって外袋内の空気が脱気されるため、外袋の内壁と袋体との接触状態及び袋体同士の接触状態が運送時においてもずれないため、開封して袋体を取り出すときに、袋体を詰めた状態をそのまま再現することが出来る。
【図面の簡単な説明】
【００３４】
【図１】本実施形態に係る製品入り外袋の第一例を示す正面概略図である。
【図２】図１のＡ−Ａ線断面図である。
【図３】図１のＢ−Ｂ線断面図である。
【図４】本実施形態に係る製品入り外袋に収容される袋体の一形態を示す正面概略図である。
【図５】図４のＣ−Ｃ線断面図である。
【図６】本実施形態に係る製品入り外袋の第二例を示す正面概略図である。
【図７】図６のＤ−Ｄ線断面図である。
【図８】本実施形態に係る製品入り外袋の第三例を示す正面概略図である。
【図９】図８のＥ−Ｅ線断面図である。
【図１０】本実施形態に係る製品入り外袋の巻き取り品の第一例を示す概略図である。
【図１１】図１０のＧ−Ｇ線断面図である。
【図１２】本実施形態に係る製品入り外袋の巻き取り品の第一の製造方法を説明するための概略図であり、製品入り外袋が、図１に示す製品入り外袋である形態を示す図である。
【図１３】本実施形態に係る製品入り外袋の巻き取り品の第二の製造方法を説明するための概略図であり、製品入り外袋が、図６に示す製品入り外袋である形態を示す図である。
【図１４】本実施形態に係る製品入り外袋の巻き取り品の第三の製造方法を説明するための概略図であり、製品入り外袋が、図８に示す製品入り外袋である形態を示す図である。
【図１５】本実施形態に係る袋体の供給方法の一形態を説明するための概略図であり、製品入り外袋の巻き取り品が、第一の製造方法で得られた製品入り外袋の巻き取り品である形態を示す図である。
【図１６】例示的な熱シール器を用いて熱溶着部を形成する方法を説明する概略図である。
【発明を実施するための形態】
【００３５】
次に、本発明について実施形態を示して詳細に説明するが本発明はこれらの記載に限定して解釈されない。本発明の効果を奏する限り、実施形態は種々の変形をしてもよい。
【００３６】
（製品入り外袋：第一例）
次に図１〜図３、図４及び図５を参照して、本実施形態に係る製品入り外袋１００（第一例）を説明する。本実施形態に係る製品入り外袋１００は、製品である袋体（ｐ１，ｐ２，ｐ３，・・・，ｐｎ）の一部が重なるように連続又は間欠で一列に積み重ねられた複数個の袋体３を、外包装用の筒状外袋１で包み込んで、袋体の積み重ねの状態を保持したままで一体化した製品入り外袋１００であって、筒状外袋１は、自己粘着性を有する樹脂フィルムを基材５として筒の長さ方向Ｘに沿って連続して延びた筒形状をなしており、筒の長さ方向に沿って基材５同士が重なり合って自己粘着した重なり部７１を少なくとも一つ有している。
【００３７】
外包装とは、販売の目的とされる商品（商品のみならず、個別に一次包装された商品を含む。）を複数個の単位で、ひとまとまりに包装する形態（二次包装及び三次包装の両方を包含する。）をいう。また、外袋とは、外包装が特に袋体であることをいう。したがって、実施形態において筒状外袋とは、筒形状を有し、外包装に用いられる袋体をいう。
【００３８】
基材５としての自己粘着性を有する樹脂フィルムは、フィルム自体が自己粘着性を有する形態であるか、又はフィルムの表面に自己粘着性を有する樹脂を含む粘着層を設けた形態であってもよい。ここで、「自己粘着性」とは、同じ材料のフィルム同士を重ね合わせることによって、フィルム同士がある程度の力を加えないと剥離しなくなる程度に粘着する性質をいう。自己粘着性を有する樹脂フィルムとしては、例えば、ストレッチフィルム又はラップフィルムなどと呼ばれるフィルムを用いてもよい。自己粘着性を有する樹脂フィルムが、フィルム自体が自己粘着性を有する形態であるとき、フィルムに用いられる樹脂の材質は、特に限定されないが、例えば、ポリ塩化ビニリデン（ＰＶＤＣ）、ポリ塩化ビニル（ＰＶＣ）、ポリプロピレン（ＰＰ）、ポリエチレン（ＰＥ）、エチレン酢酸ビニル共重合体（ＥＶＡ）、ポリエチレンテレフタレート（ＰＥＴ）又はエラストマーである。自己粘着性を有する樹脂フィルムが、フィルムの表面に自己粘着性を有する樹脂を含む粘着層を設ける形態であるとき、粘着層に用いられる自己粘着性を有する樹脂は、例えば、天然ゴム又はエラストマーである。また、フィルム又は粘着層を構成する樹脂に、粘着付与剤を組み合わせたものであってもよい。粘着付与剤は、特に限定されないが、例えば、テルペン系樹脂、ロジンエステル系樹脂又は脂肪酸系若しくは芳香剤系石油系樹脂である。
【００３９】
また、単層フィルムからなる基材５の厚さは０．２ｍｍ〜１．５ｍｍ程度のものが望ましく、複層フィルムからなる基材５の厚さは０．４〜２．０ｍｍ程度が望ましい。また、筒状外袋１は、筒内を広げたときに筒の長さ方向Ｘに沿って同一内径で連続して延びた筒形状を有する。内径（直径）は、例えば１．５〜６５ｃｍであるが、この範囲に限定されない。また、筒形状の上端部及び下端部は、開放されていてもよく、また、剥離可能なシール、接着若しくは熱溶着又は結束されて閉じていてもよい。
【００４０】
図１及び図２に示すように、開口部６は、筒の長さ方向Ｘに沿って基材５に設けられている。本実施形態では、筒状外袋１は開口部６を少なくとも一つ有する。開口部６が１つである場合、基材は開口部を広げることで、１つの帯状のフィルムとなる。図１〜図３に示した筒状外袋１は、開口部６を一つ有している。開口部６が２つである場合、基材は開口部を広げることで、２つの帯状のフィルムとなる。ここでこの２つの帯状フィルムの幅が同じ幅を持つように開口部を設けることが好ましい。なお、開口部６は、筒形状の両端にわたって、形成されていることが好ましい。
【００４１】
筒状外袋１は、横断面が平坦状態でロール巻き、カセ巻き又はつづら折りされていることが好ましい。横断面が平坦状態とは、筒形状の内壁面同士が向かい合って接触し合っている状態をいう。ロール巻きされるとは、ボビン巻き、芯巻き及び無芯巻きを包含する。ロール巻き及びカセ巻きされる形態では、筒状外袋１は、横断面が平坦状態となることで筒内の空間が脱気された状態となるため帯状のような形状となるところ、平らな外壁面同士が接触し合うように巻かれることが好ましい。巻かれた筒状外袋の嵩を小さくすることが出来る。また、つづら折りされる形態、すなわち、ジグザグ状に畳まれる形態においても、筒状外袋１は、横断面が平坦状態となることで筒内の空間が脱気された状態となるため帯状のような形状となるところ、平らな外壁面同士が接触し合うように折られて畳まれることが好ましい。つづら折りされた筒状外袋の嵩を小さくすることが出来る。
【００４２】
本実施形態に係る製品入り外袋１００（第一例）では、製品入り外袋１００は、フラットのシート状外包装用の樹脂フィルムとした基材５に製品である袋体（ｐ１，ｐ２，ｐ３，ｐ４，・・・，ｐｎ）の一部が重なるように連続又は間欠で一列に積み重ねられた複数個の袋体３を載せ、複数個の袋体３を基材５で包み込んで筒状外袋１とし、袋体の積み重ねの状態を保持したままで一体化していることが好ましい。
【００４３】
本実施形態に係る製品入り外袋１００は、外包装用の筒状外袋１の筒内部に製品である袋体が複数個収容されている。図４及び図５に示すように、製品である袋体ｐ１は、開口部８と収容部７を有するプラスチック樹脂製の袋体であり、開口部８の端に沿って、チャック９が設けられている。チャック９は、嵌合構造を有し、開閉自在である。チャック９は、開口部８と平行に延びる帯状の雌基部と雌部とを有する雌部材と、開口部８と平行に延びる帯状の雄基部と雄部とを有する雄部材とを有し、雌部に雄部が咬合することによって閉となるチャック構造を有することが好ましい。雄基部及び雌基部は、袋体の基材の内壁面に接着されている形態がある。また、チャック９は、雄部及び雌部が袋体の基材と一体に成形されていて、雌部に雄部が咬合することによって閉となるチャック構造の形態であってもよい。本実施形態では、チャック９は、これらの構造に限定されず、例えば、雌部同士が咬合する構造を有していてもよい。製品である袋体ｐ２，ｐ３，ｐ４，・・・，ｐｎは袋体ｐ１と同じ構造を有する袋体である。製品である袋体（ｐ１，ｐ２，ｐ３，ｐ４，・・・，ｐｎ）は、平坦な構造を有するため、図３に示すように、一部が重なるように一列に積み重ねられた複数個の袋体３の状態とすることが可能である。ここで、複数個の袋体３は、筒状外袋１において、筒の長さ方向Ｘに沿って連続でつながっている配列としてもよく、また、間欠で配列、すなわち途中で途切れた箇所を有する配列としてもよい。間欠の配列には、例えば、所定枚数の袋体を一部が重なるように一列に積み重ねたのち、隙間を設け、続けて同枚数の袋体を一部が重なるように一列に積み重ねたのち、再度隙間を設け、これを繰り返す配列が好ましい。袋体の枚数の確認が容易となる。本実施形態では、一部が重なるように一列に積み重ねられた複数個の袋体３は、製品入り外袋１００の形態とすることで、一体化されるため、単に「複数個の袋体３」又は「袋体３」と表現することがある。
【００４４】
製品入り外袋１００は、図２に示すように、複数個の袋体３を筒状外袋１で包み込む。帯状の基材５の長さ方向に延びる側端部同士を重ねあわせることによって（図２において、開口部、すなわち重ね合わせた側端部を符号６で示した。）、基材５である樹脂フィルム同士が自己粘着して重なり部７１が形成される。重なり部７１は、図２に示すように、少なくとも１回折り込まれることが好ましい。また、折る回数を２回以上とすることで、仮留め強度を高めることができる。重なり部７１では、基材同士を剥離可能なシール、接着又は熱溶着することはしない。本実施形態において、剥離可能なシールとは、イージーピールシールを含む弱粘着性、弱接着性の剥がすことができるシールによる接合であり、接着とは、例えば、糊やテープを含む接着剤による接合であり、熱溶着とは、ヒートシール、超音波、高周波、スポットシール、インパルスシーラーやレーザーによる接合である。ここで、複数個の袋体３を収容したときの筒状外袋１の幅は、複数個の袋体３の幅よりもわずかに大きいことが好ましく、例えば、１〜１０ｍｍ大きいことが好ましい。筒状外袋１は、重なり部７１を形成したとき、複数個の袋体３の配列が崩れない程度の保持力を持つことが好ましい。袋体３の積み重ねの状態を保持したままでより一体化できると共に、筒内部に余分な空気が入り込まないので、嵩の増加を抑制することができる。筒状外袋１は、重なり部７１が形成されることにより、袋体３を含んだ状態で、一体化する。
【００４５】
製品入り外袋１００は、複数個の袋体３を運搬若しくは保管またはそれら両方を行うときにバルクとして取り扱うことを可能とするのみならず、製袋機から順次製造される袋体の配列状態を固定化することが可能であるので製袋機と充填機とが異なる場所になったとしても実質的にインライン化の再現をすることを可能とする。
【００４６】
嵌合具付き筒状外袋１は、図２に示すように、重なり部７１を一つ有し、重なり部７１は、袋体３の積み重ね面の上に位置していることが好ましい。袋体３を外袋で合掌貼りの形態で容易に包むことができる。このため、簡易な構造の装置で製造しやすい。また、重なり部７１を開くときは観音開きの形態で行うことができる。重なり部７１は、図２に示すように、袋体３の積み重ね面の中央部に位置していることがより好ましい。重なり部７１を形成する作業又は開く作業をより安定して行うことができ、また、ロール巻き、カセ巻き又はつづら折りをより安定して行うことができる。
【００４７】
（製品入り外袋：第二例）
次に図６及び図７を参照して、本実施形態に係る製品入り外袋２００（第二例）を説明する。本実施形態に係る製品入り外袋２００では、筒状外袋１１は、重なり部７１を一つ有し、重なり部７１は、袋体１３の左右いずれか一方の側端側に位置していることが好ましい。図７に示すように製品入り外袋２００は、重なり部７１の位置が異なる以外は製品入り外袋１００と同様である。すなわち、製品入り外袋２００は、複数個の袋体１３を筒状外袋１１で包み込み、重なり部７１が形成されることにより、筒状外袋１１は、袋体１３を含んだ状態で、一体化する。製品入り外袋２００では、袋体１３に対して基材１５の密着性がより高まる。製品入り外袋２００においても、製品入り外袋１００の場合と同様に、複数個の袋体１３を収容したときの筒状外袋１１の幅は、複数個の袋体１３の幅よりもわずかに大きいことが好ましく、例えば、１〜１０ｍｍ大きいことが好ましい。図７では重なり部７１が筒状外袋１１の左の側端側に位置していることによって、開口部１６は左の側端部に設けられることとなる。図７では重なり部７１は筒状外袋１１の左の側端側に位置している形態を示したが、右の側端側に位置させてもよい。本実施形態に係る製品入り外袋２００は、袋体（ｐ１，ｐ２，ｐ３，ｐ４，・・・，ｐｎ）を筒状外袋１１に入れるときに重力を利用して袋体をきれいに整列させることが出来る形態であり、袋体１３が筒状外袋１１に一体化された後は、製品入り外袋２００内で、袋体１３がより整然と整列している。
【００４８】
（製品入り外袋：第三例）
次に図８及び図９を参照して、本実施形態に係る製品入り外袋３００（第三例）を説明する。本実施形態に係る製品入り外袋３００では、筒状外袋２１は、重なり部７１ａ，７１ｂを二つ有し、重なり部７１ａ，７１ｂは、袋体２３の左の側端側及び右の側端側にそれぞれ位置していることが好ましい。図９に示すように製品入り外袋３００は、重なり部７１ａ，７１ｂが２つあり、かつ、それらの位置が異なる以外は製品入り外袋１００と同様である。すなわち、製品入り外袋３００は、複数個の袋体２３を筒状外袋２１で包み込み、重なり部７１ａ，７１ｂが形成されることにより、筒状外袋２１は、袋体２３を含んだ状態で、一体化する。製品入り外袋３００では、製品入り外袋２００と同様に、袋体２３に対して基材２５の密着性がより高まる。製品入り外袋３００においても、製品入り外袋１００の場合と同様に、複数個の袋体２３を収容したときの筒状外袋２１の幅は、複数個の袋体２３の幅よりもわずかに大きいことが好ましく、例えば、１〜１０ｍｍ大きいことが好ましい。図１１では重なり部７１ａが筒状外袋２１の左の側端側に位置していることによって、開口部２６は左の側端部に設けられることとなる。また、重なり部７１ｂが筒状外袋２１の右の側端側に位置していることによって、開口部２７は右の側端部に設けられることとなる。本実施形態に係る製品入り外袋３００は、重なり部７１ａ，７１ｂをそれぞれ開放することによって、筒状外袋２１の基材２５を基材２５ａ（基材の他方２５ａともいう。）と基材２５ｂ（基材の一方２５ｂともいう。）とに、上下に分割して開くので、袋体１３を容易に取り出すことができる。
【００４９】
製品入り外袋の第一例、第二例及び第三例において、基材５，１５，２５である自己粘着性を有する樹脂フィルムは、製品である袋体３，１３，２３に対して剥離可能な粘着性をさらに有することが好ましい。筒状外袋１，１１，２１内で複数個の袋体３，１３，２３の配列が崩れることを抑制することができるので、袋体３，１３，２３の積み重ねの状態を保持したままでより一体化できる。基材５，１５，２５である樹脂フィルムに、製品である袋体３，１３，２３に対して剥離可能な粘着性を付与する方法は、例えば、少なくとも樹脂フィルムの内壁面（筒状外袋１，１１，２１の内側となる面）にコロナ放電処理する方法である。製品である袋体３，１３，２３に対する粘着性の付与は、樹脂フィルムの内壁面の全面に施すか、又は樹脂フィルムの内壁面の一部に施してもよい。粘着性の付与を樹脂フィルムの内壁面の一部に施すとき、施す場所は、樹脂フィルムの内壁面のうち製品である袋体３，１３，２３が当接する部分、より具体的には、筒状外袋１，１１，２１の下側となる部分の内壁面のうち製品である袋体３，１３，２３の両サイド部分が当接する部分であってもよい。
【００５０】
製品入り外袋の第一例、第二例及び第三例において、製品入り外袋１００，２００，３００は、基材５，１５，２５の内壁面にエンボス加工領域部を有することが好ましい。筒状外袋１，１１，２１内で複数個の袋体３，１３，２３の配列が崩れることを抑制することができるので、袋体３，１３，２３の積み重ねの状態を保持したままでより一体化できる。エンボス加工領域部は、樹脂フィルムの内壁面の全面に設けるか、又は樹脂フィルムの内壁面の一部に設けてもよい。エンボス加工領域部を樹脂フィルムの内壁面の一部に設けるとき、設ける場所は、樹脂フィルムの内壁面のうち製品である袋体３，１３，２３が当接する部分、より具体的には、筒状外袋１，１１，２１の下側となる部分の内壁面のうち製品である袋体３，１３，２３の両サイド部分が当接する部分であってもよい。
【００５１】
製品入り外袋の第一例、第二例及び第三例において、基材５，１５，２５が、製品である袋体３，１３，２３に対する剥離可能な粘着性を有するとともにエンボス加工領域部を有していてもよい。袋体３，１３，２３の積み重ねの状態をより強固に保持することができる。
【００５２】
また、製品入り外袋の第一例、第二例及び第三例において、基材５，１５，２５の外壁面（筒状外袋１，１１，２１の外側となる面）に、滑り処理を施してもよい。例えば図１０及び図１１に示すように製品入り外袋１００，２００，３００を横断面が扁平状態でロール巻きした製品入り外袋の巻き取り品５０，５４，５７とした場合、又は製品入り外袋１００，２００，３００をつづら折り品とした場合に、製品入り外袋１００，２００，３００の繰り出し又は引出しをより円滑に行うことができる。滑り処理は、公知の滑り処理を採用することができる。公知の滑り処理は、例えば、パウダー塗布又はコーティングである。また、滑り処理として、自己粘着性を有する樹脂フィルムの外壁面側に、自己粘着性を有さないフィルム又は紙を積層してもよい。
【００５３】
製品入り外袋の第一例、第二例及び第三例において、製品入り外袋１００，２００，３００は、筒の長さ方向Ｘに沿った所定の間隔毎に仕切りを有し、かつ、仕切りによって、複数個の袋体３，１３，２３は所定枚数毎に区切られていることが好ましい。仕切りを設ける場合には、複数の袋体を非連続として、袋体の非配置部を外袋の収容空間内に配置する。非配置部は、筒の長さ方向Ｘに沿った所定の間隔毎に設けることが好ましい。非配置部それぞれに仕切りを設けることで、仕切りが筒の長さ方向Ｘに等間隔で配置されることとなる。仕切りとその隣の仕切りとで挟まれる収容空間に収容される複数の袋体は、等枚数であることが好ましい。製品である袋体の一部が重なるように連続又は間欠で一列に積み重ねられた複数個の袋体について、所定枚数、例えば１００枚単位で管理したい場合がある。このような場合に、仕切りとその隣の仕切りとの間に所定枚数の袋体を配置することが容易となる。仕切りは、向かい合う基材同士の自己粘着部であるか、又は向かい合う基材同士の剥離可能なシール部、接着部又は熱溶着部であることが好ましい。例えば、仕切りは、筒の長さ方向Ｘに直行する方向に延びる直線状の自己粘着部であるか、又は筒の長さ方向Ｘに直行する方向に延びる直線状の剥離可能なシール部、接着部又は熱溶着部であることが好ましい。仕切りは、筒の長さ方向Ｘに傾いて交差する線状の剥離可能なシール部、接着部又は熱溶着部、丸状（ドット状）の剥離可能なシール部、接着部又は熱溶着部、丸状（ドット状）が複数並べて配置された剥離可能なシール部、接着部又は熱溶着部の形態としてもよい。本実施形態において、剥離可能なシールとは、イージーピールシールを含む弱粘着性、弱接着性の剥がすことができるシールによる接合であり、接着とは、例えば、糊やテープを含む接着剤による接合であり、熱溶着とは、ヒートシール、超音波、高周波、スポットシール、インパルスシーラーやレーザーによる接合である。
【００５４】
製品入り外袋の第一例、第二例及び第三例において、仕切りを設けた箇所に、切り離し用のミシン目をさらに有することが好ましい。仕切りとその隣の仕切りとの間には所定枚数の袋体を配置することができる。ミシン目で筒状外袋を切り離せば、袋体を所定枚数毎に管理を容易とすることができる。ミシン目は、隣り合うミシン目同士の距離も所定の間隔、すなわち等間隔に設けられることが好ましい。
【００５５】
（製品入り外袋の巻き取り品）
本実施形態に係る製品入り外袋の巻き取り品５０は、図１０及び図１１に示すように、本実施形態に係る製品入り外袋１００，２００，３００が、横断面が扁平状態でロール巻きされている。図１０では、ロール巻きの一形態として、ボビン５１に製品入り外袋１００，２００，３００が巻かれている形態を示した。図１０及び図１１において、ボビンは回転軸９５を中心として回転させられることで、巻取りが行われる。ボビン５１の代わりに円筒状の芯に芯巻きする形態としてもよく（不図示）、また、ボビン５１を用いずに、無芯巻きとしてもよい（不図示）。また、製品入り外袋１００，２００，３００は、横断面が扁平状態でロール巻きする代わりに、横断面が扁平状態でカセ巻き又はつづら折りされていてもよい（不図示）。ここで横断面が扁平状態とは、製品入り外袋１００，２００，３００に収容された複数個の袋体３，１３，２３の平坦面と、筒形状の基材５，１５，２５の内壁面とが接触し合っていて、複数個の袋体３，１３，２３の断面形状を反映して断面が細長形状となっている状態を言う。図１１では製品入り外袋１００，２００，３００の横断面が扁平状態、例えばほぼ矩形状態にされている形態が示されている。製品入り外袋１００，２００，３００では、ロール巻きされると、図２、図７及び図９に示すように重なり部７１が横に倒れた状態、すなわち、基材５，１５，２５に開口部６，１６，２６が横たわるように折れ曲がった状態となる。製品入り外袋１００，２００，３００は、横断面が扁平状態となることで筒内の空間が脱気された状態となるため帯状のような形状となるところ、製品入り外袋１００，２００，３００の外壁面同士が接触し合うように巻かれることが好ましい。巻かれた製品入り外袋１００，２００，３００の嵩を小さくすることが出来る。また、つづら折りされる形態、すなわち、ジグザグ状に畳まれる形態においても、製品入り外袋１００，２００，３００は、横断面が扁平状態となることで筒内の空間が脱気された状態となるため帯状のような形状となるところ、製品入り外袋１００，２００，３００の外壁面同士が接触し合うように折られて畳まれることが好ましい。つづら折りされた製品入り外袋１００，２００，３００の嵩を小さくすることが出来る。
【００５６】
（製品入り外袋の製造方法）
次に図１２を参照して、本実施形態に係る製品入り外袋の製造方法について説明する。本実施形態に係る製品入り外袋の製造方法は、製品である袋体（ｐ１，ｐ２，ｐ３，ｐ４，・・・，ｐｎ）の一部が重なるように連続又は間欠で一列に積み重ねられた複数個の袋体３を、外包装用の筒状外袋１で包み込んで、袋体３の積み重ねの状態を保持したままで一体化した製品入り外袋の製造方法であって、基材５として等幅の帯状の自己粘着性を有する樹脂フィルムを準備する工程Ａと、基材５を広げた状態とする工程Ｂと、基材５の上に、基材５の長手方向Ｙに沿って、袋体（ｐ１，ｐ２，ｐ３，ｐ４，・・・，ｐｎ）の一部が重なるように連続又は間欠で一列に袋体を複数積み重ねていく工程Ｃと、複数個の袋体３を載せた基材５を基材５の長手方向Ｙに移動させながら、基材５で複数個の袋体３を包み込むとともに、基材５同士が重なり合って自己粘着した重なり部７１を形成することで、基材５を筒状に成形して製品入り外袋１００を得る工程Ｄと、を有する。
【００５７】
（第一の製造方法）
第一の製造方法において、外包装用の筒状外袋及び製品入り外袋は、図１〜図３に示した筒状外袋１及び製品入り外袋１００であり、袋体は、図４及び図５に示した袋体ｐ１であり、製品入り外袋１００は図１０及び図１１に示したボビン５１と同じボビンに巻き取られる。さらに、基材５の長手方向Ｙは、基材５を基準として、筒の長さ方向Ｘと同方向である。
【００５８】
（工程Ａ）
引き続き図１２を参照して、第一の製造方法についてさらに詳細に説明する。基材５として等幅の帯状の自己粘着性を有する樹脂フィルムを１つ準備する。図１２においては、インフレーションフィルム成形によって製造された筒状の自己粘着性を有する樹脂フィルムであって、筒の長さ方向に沿って同一内径で連続して延びた筒形状をなしている筒状外袋１がボビン５２に巻かれた筒状外袋１の巻取り品５３を一つ準備する。図１２においては、筒状外袋１を筒の長さ方向Ｘの方向に繰り出して、ダンスロール６１ａ、ピンチロール６２ａに送り出す。
【００５９】
（工程Ｂ）
基材５を広げた状態とする。筒の長さ方向に沿って胴部の一箇所に切れ目を入れることで、等幅の帯状の樹脂フィルムが得られる。すなわち、ピンチロール６２ａを通過した筒状外袋１は、ガイドロール７４を通過した後、カッター７２によって、筒の長さ方向に沿って胴部の一箇所に切れ目を入れられ、ガイドロール７３によって基材５を水平に広げた状態とし、基材５の重なりを無くした状態でピンチロール６２ｂに送られる。或いは、工程Ａにおいて、切断後の等幅の帯状の樹脂フィルムをボビンに巻いた巻き取り品を準備して、工程Ｂにおいて、カッターを使用せずに、そのまま水平に広げた状態で、ピンチロール６２ｂに送ってもよい。
【００６０】
（工程Ｃ）
基材５をフラットのシート状として袋体（ｐ１，ｐ２，ｐ３，ｐ４，・・・，ｐｎ）を載せる。具体的には、広げられた基材５の上に、基材５の長手方向Ｙに沿って、袋体（ｐ１，ｐ２，ｐ３，ｐ４，・・・，ｐｎ）の一部が重なるように連続又は間欠で一列に袋体を複数積み重ねていく。図１２では、袋体（ｐ１，ｐ２，ｐ３，ｐ４，・・・，ｐｎ）が連続で一列に袋体を積み重ねられていく形態を示した。ここで、袋体（ｐ１，ｐ２，ｐ３，ｐ４，・・・，ｐｎ）は、製袋機（不図示）の下流側に位置する搬送コンベア６５に１枚ごとに載せられて送られてくる。搬送コンベア６５上にある袋体、例えば、袋体ｐ４、ｐ５、ｐ６、ｐ７を順次、基材５の上に載せていく。
【００６１】
（工程Ｄ）
複数個の袋体３を載せた基材５を基材５の長手方向Ｙに移動させながら、ガイドロール６３ｂによって、基材５で複数個の袋体３を包み込むとともに、基材５同士が重なり合って自己粘着した重なり部７１を形成することで、基材５を筒状に成形して製品入り外袋１００を得る。ここで、基材５の幅方向の両端の縁を袋体３の積み重ね面の上に配置して、重なり部７１を形成することが好ましい。袋体３を外袋で合掌貼りの形態で容易に包むことができる。このため、簡易な構造の装置で製造しやすい。製品入り外袋１００において、複数個の袋体３は、外包装用の筒状外袋１によって包み込まれた状態となっている。製品入り外袋１００は、タッチロール６４、ピンチロール６２ｃ、ダンスロール６１ｂに送られることが好ましい。このとき、重なり部７１は横に寝かされた状態とされて送られる。製品入り外袋１００の内部が脱気されて、嵩が小さくなる。工程Ａにおいて、筒状外袋１の巻取り品５３を用いる形態、及び、切断後の等幅の帯状の自己粘着性を有する樹脂フィルムをボビンに巻いた巻き取り品を用いる形態のいずれの形態であっても、重なり部７１を形成したあとは、複数個の袋体３は外包装用の筒状外袋１によって包み込まれた状態とすることができる。
【００６２】
（第二の製造方法）
次に、図１３を参照して、本実施形態に係る製品入り外袋の第二の製造方法について説明する。第二の製造方法において、外包装用の筒状外袋及び製品入り外袋は、図６及び図７に示した筒状外袋１１及び製品入り外袋２００であり、袋体は、図４及び図５に示した袋体ｐ１であり、製品入り外袋２００は図１０及び図１１に示したボビン５１と同じボビンに巻き取られる（図１７中、ボビンの描画は省略している。）。さらに、基材１５の長手方向Ｙは、基材１５を基準として、筒の長さ方向Ｘと同方向である。
【００６３】
引き続き図１３を参照して、第二の製造方法について説明する。第二の製造方法は、工程Ａにおいて、基材１５を１つ準備し、工程Ｂにおいて、基材１５を、基材１５の長手方向の横断面がＵ字形状又はＶ字状となるように広げ、工程Ｃにおいて、袋体（ｐ１，ｐ２，ｐ３，ｐ４，・・・，ｐｎ）の左右いずれか一方の側端側を下方に向けた状態で、袋体（ｐ１，ｐ２，ｐ３，ｐ４，・・・，ｐｎ）をＵ字形状又はＶ字状の基材の内側に入れる。この形態では、重なり部７１は、袋体１３の側端側に位置することとなる。
【００６４】
（工程Ａ）
工程Ａは、第一の製造方法と同様である。図１３では、工程Ａの図示を省略している。
【００６５】
（工程Ｂ）
ガイドロール７４を通過した外包装用の筒状外袋１１について、基材１５はカッター（不図示）によって、筒の長さ方向に沿って胴部の一箇所に切れ目を入れられ、基材１５の長手方向Ｙの横断面がＵ字形状又はＶ字状となるように広げられる。或いは、工程Ａにおいて、切断後の等幅の帯状の樹脂フィルムをボビンに巻いた巻き取り品を準備して、工程Ｂにおいて、カッターを使用せずに、そのまま水平に広げた状態としてもよい。
【００６６】
（工程Ｃ）
袋体（ｐ１，ｐ２，ｐ３，ｐ４，・・・，ｐｎ）の左右いずれか一方の側端側を下方に向けた状態で、袋体（ｐ１，ｐ２，ｐ３，ｐ４，・・・，ｐｎ）をＵ字形状又はＶ字状の基材の内側に入れることが好ましい。重力を利用して袋体をきれいに整列させることが出来るため、製品入り外袋２００内で、袋体（ｐ１，ｐ２，ｐ３，ｐ４，・・・，ｐｎ）がより整然と整列している。すなわち、筒状外袋１１が広げられて、Ｕ字形状又はＶ字状の基材１５の内側に、基材１５の長手方向Ｙに沿って、位置合せ装置６８によって、袋体（ｐ１，ｐ２，ｐ３，ｐ４，・・・，ｐｎ）の一部が重なるように連続又は間欠で一列に袋体を積み重ねていく。図１２では、袋体（ｐ１，ｐ２，ｐ３，ｐ４，・・・，ｐｎ）が連続で一列に袋体を積み重ねられていく形態を示した。ここで、袋体（ｐ１，ｐ２，ｐ３，ｐ４，・・・，ｐｎ）は、製袋機（不図示）の下流側に位置する搬送コンベア６５に１枚ごとに載せられて送られてくる。搬送コンベア６５上にある袋体、例えば、袋体ｐ４、ｐ５、ｐ６、ｐ７を順次、基材１５の内側に入れていく。
【００６７】
（工程Ｄ）
複数個の袋体１３を内側に入れた基材１５を基材１５の長手方向Ｙに移動させながら、ガイドロール６３ｂによって、基材１５で複数個の袋体３を包み込むとともに、基材５同士が重なり合って自己粘着した重なり部７１を形成して、製品入り外袋２００を得る。重なり部７１が形成された製品入り外袋２００は、製品入り外袋２００の内部が脱気されて、嵩が小さくなる。
【００６８】
（第三の製造方法）
次に、図１４を参照して、本実施形態に係る製品入り外袋の第三の製造方法について説明する。第三の製造方法において、外包装用の筒状外袋及び製品入り外袋は、図８及び図９に示した筒状外袋２１及び製品入り外袋３００であり、袋体は、図４及び図５に示した袋体ｐ１であり、製品入り外袋３００は図１０及び図１１に示したボビン５１と同じボビンに巻き取られる。さらに、基材５の長手方向Ｙは、基材５を基準として、筒の長さ方向Ｘと同方向である。
【００６９】
引き続き図１４を参照して、第三の製造方法について説明する。第三の製造方法は工程Ａにおいて、基材２５（２５ａ，２５ｂ）を２つ準備し、工程Ｂにおいて、基材２５ｂの一方を水平に広げ、基材２５ａの他方を、基材２５ｂの一方の上方で水平に広げ、工程Ｃにおいて、基材２５ｂの一方の幅方向の両端が袋体の左の側端側及び右の側端側にそれぞれ位置するように、基材２５ｂの一方をフラットのシート状とすると共に、袋体（ｐ１，ｐ２，ｐ３，ｐ４，・・・，ｐｎ）を基材２５ｂの一方の上に載せ、工程Ｄにおいて、基材２５ａの他方を袋体（ｐ１，ｐ２，ｐ３，ｐ４，・・・，ｐｎ）に被せて、基材２５ｂの一方と基材２５ａの他方とを重ね合わせて重なり部７１を形成する。２つの基材２５ａ，２５ｂを上下に配置し、その間に袋体２３を配置して閉じるという簡易な動作で、外袋２１の中に袋体２３を入れることが出来る。この形態では、重なり部７１は、袋体２３の両側の側端側に位置することとなる。
【００７０】
（工程Ａ）
ボビン５６に巻き取られた外包装用の筒状外袋２１の外袋巻き取り品５５を準備する。例えば、外包装用の筒状外袋２１は、筒が潰された平坦状態でボビン５６に巻き取られている。外包装用の筒状外袋２１を筒の長さ方向Ｘの方向に繰り出し、カッター７２によって、筒状外袋２１の右の側端部及び左の側端部を筒の長さ方向に沿って切断して２分割する。或いは、切断後の等幅の帯状の樹脂フィルムをボビンに巻いた巻き取り品を２つ準備してもよい。
【００７１】
（工程Ｂ）
筒の長さ方向に沿って切断されることによって２つに分かれた基材２５の一方２５ｂを水平に広げ、基材の他方２５ａを、基材の一方２５ｂの上方で水平に広げる。基材の一方２５ｂはピンチロール６２ａに送られる。基材の他方２５ａもピンチロール（不図示）に送られる。
【００７２】
（工程Ｃ）
基材の一方２５ｂをフラットのシート状とすると共に、基材の一方２５ｂの幅方向の両端側に位置する嵌合具２４ａ，２４ｂが袋体（ｐ１，ｐ２，ｐ３，ｐ４，・・・，ｐｎ）の左の側端側及び右の側端側にそれぞれ位置するように、袋体を基材の一方２５ｂの上に載せることが好ましい。すなわち、基材の一方２５ｂが広げられて、長手方向Ｙに沿って、位置合せ装置６８によって、袋体（ｐ１，ｐ２，ｐ３，ｐ４，・・・，ｐｎ）の一部が重なるように連続又は間欠で一列に袋体を積み重ねていく。図１４では、袋体（ｐ１，ｐ２，ｐ３，ｐ４，・・・，ｐｎ）が連続で一列に袋体を積み重ねられていく形態を示した。ここで、袋体（ｐ１，ｐ２，ｐ３，ｐ４，・・・，ｐｎ）は、製袋機（不図示）の下流側に位置する搬送コンベア６５に１枚ごとに載せられて送られてくる。搬送コンベア６５上にある袋体、例えば、袋体ｐ４、ｐ５、ｐ６、ｐ７を順次、基材の一方２５ｂの上に載せていく。
【００７３】
（工程Ｄ）
複数個の袋体２３を基材の一方２５ｂに載せた状態で長手方向Ｙに移動させながら、同時に長手方向Ｙに移動させてきた基材の一方２５ｂを被せて、ピンチロール６２ｃによって重なり部７１ａ，７１ｂを形成することが好ましい。重なり部７１ａ，７１ｂが形成されることによって、製品入り外袋３００を得る。重なり部７１ａ，７１ｂが形成された製品入り外袋３００は、ピンチロール６２ｃを通過する際に、製品入り外袋３００の内部が脱気されて、嵩が小さくなる。外包装用の筒状外袋２１を、基材の一方２５ｂと基材の他方２５ａとして、上下に分割し、その間に袋体２３を配置して、元通りに閉じるという簡易な動作で、筒状外袋２１の中に袋体２３を入れることが出来る。
【００７４】
（仕切りを有する製品入り外袋の製造方法）
第一〜第三の製造方法では、工程Ｃにおいて、袋体３，１３，２３が所定枚数積み重ねられる毎に袋体３，１３，２３を配置しない非配置部を所定の間隔毎に設け、かつ、工程Ｄの後に、製品入り外袋１００，２００，３００に対して、非配置部に相当する箇所に仕切りを設ける仕切り形成工程と、を有することが好ましい。製品である袋体の一部が重なるように連続又は間欠で一列に積み重ねられた複数個の袋体について、所定枚数、例えば１００枚単位で管理したい場合がある。このような場合に、仕切りとその隣の仕切りとの間に所定枚数の袋体を配置することが容易となる。
【００７５】
本実施形態に係る製品入り外袋の製造方法では、仕切りは、向かい合う基材同士を自己粘着することによって、又は、向かい合う基材同士を剥離可能なシール、接着又は熱溶着することによって形成することが好ましい。そして、仕切りの両脇に非配置部が配置されるようにすることがより好ましい。仕切りを自己粘着によって形成する場合、仕切りは、非配置部に相当する箇所にロールを押し付けながら、向かい合う基材の内壁面同士を密着させることで形成することが好ましい。また、仕切りを剥離可能なシール、接着又は熱溶着によって形成する場合について、図１６を参照して例示的な方法を説明する。仕切り４１は、非配置部４０に相当する箇所に熱シール器４３を押し付けながら、向かい合う基材５の内壁面同士を熱溶着することで形成することが好ましい。熱シール器４３は向かい合う基材５同士を熱溶着するが、溶断まではしない温度範囲で温度設定される。筒状の長さ方向への流れによって袋体の非配置部４０がきたタイミングで熱シール器４３を基材に当接し、仕切り（図１６では熱溶着部）４１を形成する。或いは、向かい合う基材の内壁面同士を接着させることによって仕切りを形成してもよい。そして、仕切りの両脇に非配置部が配置されるようにすることがより好ましい。
【００７６】
仕切りを設けた箇所に、切り離し用のミシン目をさらに設けてもよい。筒状外袋には、製品である袋体が所定枚数収容されており、ミシン目を切り離すことにより、小分け管理がしやすくなる。切り離し用のミシン目は、仕切りを設けた後に形成することが好ましい。切り離し用のミシン目が仕切りを剥離可能なシール又は熱溶着によって形成する際に消失することを防止することができる。
【００７７】
（製品入り外袋の巻き取り品又はつづら折り品の製造方法）
（工程Ｅ）
製品入り外袋の巻き取り品又はつづら折り品の製造方法は、第一〜第三の製造方法に加えて、製品入り外袋１００，２００，３００を横断面が扁平状態でロール巻き、カセ巻き又はつづら折りする工程Ｅを有する。図１２を参照して第一の製造方法を例にとってより詳しく説明するが、第二の製造方法又は第三の製造方法についても同様である。工程Ｅでは、製品入り外袋１００は、ボビン５１に巻き取られて、製品入り外袋の巻き取り品５０が得られる。図１２では、ロール巻きの形態を示したが、製品入り外袋１００を横断面が扁平状態でカセ巻き又はつづら折りすることとしてもよい。製品入り外袋１００をつづら折りするときに、仕切りの位置に合わせて折り畳んでいくことが好ましい。
【００７８】
（袋体の供給方法）
図１５を参照して、本実施形態に係る袋体の供給方法について説明する。本実施形態に係る袋体の供給方法は、本実施形態に係る製品入り外袋１００又は本実施形態に係る製品入り外袋の巻き取り品５０の外袋を引き出しながら重なり部７１又は外袋のうち重なり部７１以外の箇所を開口する工程Ｆと、開口された外袋の中の袋体３を順々に充填機に供給する工程Ｇと、を有する。製品入り外袋として、製品入り外袋２００，３００を用いてもよい。また、製品入り外袋の巻き取り品として、製品入り外袋の巻き取り品５４，５７を用いてもよい。さらに製品入り外袋のつづら折り品を用いてもよい。外袋のうち重なり部７１以外の箇所を開口する場合には、カッターを用いて開口することが好ましい。また、外袋のうち重なり部７１以外の箇所に筒状外袋１のフィルムにミシン目、傷加工又はハーフカット加工などの脆弱部を設けた場合には、脆弱部から開封してもよい。
【００７９】
（工程Ｆ）
図１５に示すように、製品入り外袋１００又は製品入り外袋の巻き取り品５０の外袋の製造工程とは逆の工程を進める。すなわち、製品入り外袋の巻き取り品５０をダンスロール８０、ピンチロール８１、タッチロール８２に送り、続いて、ガイドロール８３によって、横に寝かせられている重なり部７１を起こす。続いて外袋１を引き出しながら重なり部７１又は外袋のうち重なり部７１以外の箇所を開口する。工程Ｆでは、袋体３を詰めた状態をそのまま再現することができている。なお、外袋１は、ピンチロール８７、タッチロール９３に送られ、さらに、ボビン９１で巻き取られ、外袋１の巻き取り品９０となる。外袋１の巻き取り品９０に巻かれた使用後の外袋１は廃棄される。
【００８０】
（工程Ｇ）
開口された外袋１の中の袋体３を順々に充填機に供給する。ここで、基材５に載せられた袋体３の先頭の袋体ｐ４を袋検知具８６で検知し、吸着具８５によって取り出し、位置決め装置９２の一端側に載せられて袋体ｐ３となる。位置決め装置９２の一端側に載せられた袋体ｐ３は、吸着具８８で位置決め装置９２の他端側に移動させられ袋体ｐ２となる。袋体ｐ２の位置に袋体が存在するかどうかは袋検知具８９によって検知する。そして、袋体ｐ２は、充填機（不図示）に、袋体ｐ１として供給される。
【００８１】
工程Ｆ及び工程Ｇにおいて、製品入り外袋１００又は製品入り外袋の巻き取り品５０が、実質的に製袋機を再現することが出来ていて、袋体３を充填機に高速で供給することが可能となる。すなわち、充填機において、実質的に製袋機のインライン化を再現出来ているといえる。そして、袋体の結束作業が不要となり、また、それに伴う検品工程も不要であることがわかる。
【００８２】
本実施形態は、複数の形態があり、本発明の効果を奏する範囲において、各実施形態の一部を適宜入れ替えして、変形することが可能である。
【００８３】
本実施形態においては、自己粘着性を有する樹脂フィルムを基材とする筒状外袋を用いて、複数個の袋体を包むことによって製品入り外袋とした形態を説明したが、製品として図４及び図５に示した袋体に限定されず、例えば、カード形状の製品にも適用することができ、また、カード形状を有していない製品を等間隔で一列に配列させて、その状態を保持するように筒状外袋又は筒状外袋で包むことも可能である。
【符号の説明】
【００８４】
１００，２００，３００  製品入り外袋
１，１１，２１  筒状外袋
ｐ１，ｐ２，ｐ３，ｐ４，・・・，ｐｎ  袋体
３，１３，２３  複数個の袋体（袋体）
５，１５，２５  基材
２５ｂ  基材の一方
２５ａ  基材の他方
６，１６，２６，２７  外袋の開口部
７  収容部
８  袋体の開口部
９  チャック
４０  非配置部
４１  仕切り
４３  熱シール器
５０，５４，５７  製品入り外袋の巻き取り品
５１，５６，９１  ボビン
６１ａ，６１ｂ，８０  ダンスロール
６２ａ，６２ｂ，６２ｃ，８１，８７  ピンチロール
６３ｂ  ガイドロール
６４，８２，９３  タッチロール
６５  搬送コンベア
６８  位置合せ装置
７１  重なり部
７２  カッター
７３，７４，８４  ガイドロール
８５  吸着具
８６  袋検知具
８９  袋検知具
９０  外袋の巻き取り品
９２  位置決め装置
９５  ボビンの回転軸
Ｘ  筒の長さ方向
Ｙ  基材の長手方向
【図１】
2018193135.tif 000003
【図２】
2018193135.tif 000004
【図３】
2018193135.tif 000005
【図４】
2018193135.tif 000006
【図５】
2018193135.tif 000007
【図６】
2018193135.tif 000008
【図７】
2018193135.tif 000009
【図８】
2018193135.tif 000010
【図９】
2018193135.tif 000011
【図１０】
2018193135.tif 000012
【図１１】
2018193135.tif 000013
【図１２】
2018193135.tif 000014
【図１３】
2018193135.tif 000015
【図１４】
2018193135.tif 000016
【図１５】
2018193135.tif 000017
【図１６】
2018193135.tif 000018